(57)【要約】収納容器（１）は中空の収納箱（１０）及び蓋（１２）を有する。蓋（１２）は、収納容器（１）を幼児用の乗り物おもちゃとして用いることを可能にする車輪（１４）を備える。
2013514242.tif 000002
【特許請求の範囲】
【請求項１】
中空の収納容積部及び該収納容積部にアクセスできるようにする投入開口部を画定し、また該投入開口部の反対側で底部を有する、収納箱と、
複数の回転可能な車輪を設けた閉鎖部材であり、開放側面及び閉鎖側面を有し、これら開放側面と閉鎖側面との間に端縁領域が延びており、前記収納箱に取り外し可能に係合し得る、該閉鎖部材と
を備える、収納容器であって、
該収納容器の第１使用形態では、前記収納箱の前記底部が支持面に接触し、前記収納箱の前記投入開口部が、前記閉鎖部材の前記開放側面に隣接し、これにより、前記投入開口部が前記閉鎖部材により閉じられる状態となり、
前記収納容器の第２使用形態では、前記閉鎖部材上に設けた前記車輪が支持面に接触し、また前記収納箱の前記投入開口部が閉鎖部材の開放側面に隣接して、前記閉鎖部材により閉じられる状態となり、
前記収納容器の第３使用形態では、前記閉鎖部材上に設けた前記車輪が支持面に接触し、また前記収納箱の前記底部が、前記閉鎖部材の前記開放側面に隣接して閉鎖部材によって支持され、これにより、投入開口部が開放する状態となる、
収納容器。
【請求項２】
請求項１に記載の収納容器において、前記閉鎖部材の前記開放側面は凸状湾曲輪郭を有し、また前記収納容器の第４使用形態では、前記収納箱の前記底部が、前記閉鎖部材の前記閉鎖側面に隣接して、前記閉鎖側面により支持され、そして前記閉鎖部材の凸状湾曲輪郭が支持面に係合し、これにより、前記収納容器を揺動できる状態となる、収納容器。
【請求項３】
請求項１または２に記載の収納容器において、前記収納箱の前記底部は、前記収納容器が第１使用形態であるとき、サドルをなす形状に形成した、収納容器。
【請求項４】
請求項１〜３のいずれか一項に記載の収納容器において、さらに、別のこのような収納容器に連結するための連結装置を備えた、収納容器。
【請求項５】
請求項４に記載の収納容器において、前記連結装置を前記収納箱に設けた、収納容器。
【請求項６】
請求項１〜５のいずれか一項に記載の収納容器において、さらに、前記収納箱に設けて、前記閉鎖部材に取り外し可能に係合するラッチ装置を備えた、収納容器。
【請求項７】
請求項１〜６のいずれか一項に記載の収納容器において、前記収納箱は、複数のそのような収納箱を互いの内側に入れ子式に収容することができる形状に形成した、収納容器。
【請求項８】
請求項１〜７のいずれか一項に記載の収納容器において、さらに、複数の収納容器を、第１使用形態又は第２使用形態のいずれかである場合に、積み重ねることを可能にし、それにより、収納容器のタワーを形成できる、位置決め特徴部を備えた、収納容器。
【請求項９】
請求項１〜８のいずれか一項に記載の収納容器において、前記閉鎖部材は、各車輪用の車輪設置部を備え、各車輪は車軸ユニットを用いて車輪設置部に回転可能に取り付け、
前記車軸ユニットは、
前記車輪に貫通する細長い車軸であって、前記車輪を車軸に対して回転させることができるように構成した、該車軸と、
前記車軸ユニットを前記閉鎖部材の適所に保持するように、前記閉鎖部材の前記車輪設置部の対応する特徴部に係合するよう構成した、少なくとも１つの設置特徴部と、を備える、収納容器。
【請求項１０】
請求項１〜９のいずれか一項に記載の収納容器において、さらに、前記収納箱に取り付けたハンドル部を備えた、収納容器。
【請求項１１】
請求項１０に記載の収納容器において、前記収納箱は、さらに、第２の収納容積部を備え、前記ハンドル部は、前記第２の収納容積部に対する開閉式の蓋として機能し、
前記第２の収納容積部が閉じられた閉鎖形態と、
前記第２の収納容積部が開いている開放形態であって、前記ハンドル部が前記収納容器を引っ張るためのハンドルとして機能する該開放形態と、を有する、収納容器。
【発明の詳細な説明】
【技術分野】
【０００１】
本発明は、収納容器に関する。
【背景技術】
【０００２】
幼い消費者にアピールする収納容器の市場のニーズが、現在、存在する。
【発明の概要】
【発明が解決しようとする課題】
【０００３】
したがって、幼い消費者向けの、既存の貯蔵における解決策の限界を克服して、付加価値がある多機能性の収納容器を作ることが望ましい。
【課題を解決するための手段】
【０００４】
本発明によれば、中空の収納容積部及び該収納容積部にアクセスできるようにする投入開口部を画定し、また該投入開口部の反対側で底部を有する、収納箱と、複数の回転可能な車輪を設けた閉鎖部材であり、開放側面及び閉鎖側面を有し、これら開放側面と閉鎖側面との間に端縁領域が延びており、前記収納箱に取り外し可能に係合し得る、該閉鎖部材とを備える、収納容器を提供し、該収納容器の第１使用形態では、前記収納箱の前記底部が支持面に接触し、前記収納箱の前記投入開口部が、前記閉鎖部材の前記開放側面に隣接し、これにより、前記投入開口部が前記閉鎖部材により閉じられる状態となり、前記収納容器の第２使用形態では、前記閉鎖部材上に設けた前記車輪が支持面に接触し、また前記収納箱の前記投入開口部が閉鎖部材の開放側面に隣接して、前記閉鎖部材により閉じられる状態となり、前記収納容器の第３使用形態では、前記閉鎖部材上に設けた前記車輪が支持面に接触し、また前記収納箱の前記底部が、前記閉鎖部材の前記開放側面に隣接して閉鎖部材によって支持され、これにより、投入開口部が開放する状態となる。
【０００５】
閉鎖部材の開放側面は凸状湾曲輪郭（プロファイル）を有し、また収納容器の第４使用形態では、収納箱の底部が、閉鎖部材の閉鎖側面に隣接して、閉鎖側面により支持され、そして閉鎖部材の凸状湾曲輪郭が支持面に係合し、これにより、収納容器を揺動できる状態となるようにする。
【０００６】
収納箱の底部は、収納容器が第１使用形態であるとき、サドルをなす形状に形成し、これにより、幼児が騎乗式乗り物のスタイルで座り、快適に動かすことができる。
【０００７】
このような収納容器は、さらに、別の収納容器に連結するための連結装置を備えることができ、これにより、遊びの価値を高める収納容器の列を生成する。そのような連結装置は、収納箱に設けることができ、第１及び第３の使用形態で機能することができる。
【０００８】
このような収納容器は、さらに、収納箱に設けて、前記閉鎖部材に取り外し可能に係合するラッチ装置を備えることができる。
【０００９】
このような収納容器において、閉鎖部材は、各車輪用の車輪設置部を備え、各車輪は車軸ユニットを用いて車輪設置部に回転自在に取り付けることができる。そのような車軸ユニットは、車輪に貫通する細長い車軸であって、車輪を車軸に対して回転させるよう構成した、該車軸と、車軸ユニットを閉鎖部材の適所に保持するように、閉鎖部材の車輪設置部の対応する特徴部に係合するよう構成した、少なくとも１つの設置特徴部と、を備えることができる。
【００１０】
このような収納容器は、複数のそのような収納箱を互いの内側に入れ子式に収容することができる形状に形成した収納箱を備えることができる。
【００１１】
多数の収納容器を、限られた空間で収納容積を高めるタワーを形成するために、第１又は第２の使用形態で、積み重ねることができる。
【００１２】
このような収納容器は、凸状湾曲輪郭を有する閉鎖部材を備えることができる。
【００１３】
このような収納容器は、収納容器が、いくつかのおもちゃの娯楽的価値をもたらし、旅行に多くのおもちゃを持って行く必要がないため、旅行に用いる場合、大きい恩恵が得られる。
【図面の簡単な説明】
【００１４】
【図１】本発明による収納容器の実施形態における第１使用形態を示す図である。
【図２】本発明による収納容器の実施形態における第２使用形態を示す図である。
【図３】本発明による収納容器の実施形態における第３使用形態を示す図である。
【図４】本発明による収納容器の実施形態における第４使用形態を示す図である。
【図５】本発明による収納容器の実施形態を示す図である。
【図６】図５に示す収納容器の細部を示す図である。
【図７】本発明による収納容器の他の実施形態を示す図である。
【図８】本発明による収納容器の、さらに他の実施形態を示す図である。
【図９】本発明による収納容器の別の実施形態を示す図である。
【図１０】本発明による収納容器の実施形態を直列に連結した一連の収納容器を示す図である。
【図１１】本発明による収納容器の実施形態における細部を示す図である。
【図１２】図１１の収納容器の細部を示す図である。
【図１３】本発明による収納容器の実施形態であり、入れ子式に重ねた使用形態を示す図である。
【図１４】本発明による収納容器の実施形態であり、順次積み重ねた使用形態を示す図である。
【図１５】本発明による収納容器の実施形態であり、順次積み重ねた使用形態を示す図である。
【図１６】本発明による収納容器の付加的な特徴を組み込んだ実施形態を示す図である。
【図１７】本発明による収納容器の付加的な特徴を組み込んだ実施形態を示す図である。
【発明を実施するための形態】
【００１５】
添付図面の図１は、収納箱１０及び閉鎖部材又は蓋１２を有する収納容器１を示す。収納箱１０は、品物を内部に収納するほぼ中空の容積を画定するほぼ中空の容器であり、その収納容積部にアクセスするよう開いた投入開口部を有する。蓋１２は収納箱に係合し、投入開口部を閉じるよう作用する。蓋１２には、その第１側面から突出する複数個の車輪１４を設ける。
【００１６】
図１は、本発明による収納容器の実施形態における第１使用形態を示す。この第１使用形態では、収納箱１０は、地面又は他の適切な表面の上に配置し、蓋１２は、収納箱１０の投入開口部を閉じる。蓋１２は、収納箱１０に取り外し可能に係合し、ユーザーが収納箱１０の収納容積部内にアクセスすることができるようにする。この第１使用形態では、蓋１２に設けた車輪１４は、収納箱１０から離れる方向に突出し、そのため、地面に係合しない。収納箱１０の頂部が地面に係合する。
【００１７】
第２使用形態では、図２に示すように、収納箱１０の投入開口部を蓋１２により閉じ、収納箱１０は、蓋１２に取り外し可能に係合し、また蓋１２の頂部の上に位置する。蓋１２に設けた車輪１４は、収納箱１０から離れる方向に蓋１２から突出するよう構成し、これにより、車輪１４は床又は地面のような支持面に係合することができる。従って、この第２使用形態では、収納容器１は、幼児用の乗り物おもちゃとして機能することができる。収納容器１は、幼児用のサドルとして供する窪み付き形状１６にすることが望ましい。
【００１８】
図３は、本発明による収納容器の実施形態における第３使用形態を示し、収納箱１０は蓋１２の頂部上に配置し、投入開口部を上向きにして使用のために開放しておく。蓋１２は、蓋に設けた車輪１４が地面に係合する状態で、開いた収納箱１０が地面に沿って転動できるようにする。図３は、収納物品を内部に入れることができるほぼ中空の収納容積部１８を示す。収納箱１０は、蓋の適切な対応部分に係合する部分２０を有し、これにより、収納箱１０は転動可能収納形態で、所定位置に取り外し可能に保持される。
【００１９】
図４は、収納容器１の第４使用形態を示す。再び、収納箱１０は、位置決め部分２４を用いて、蓋１２の頂部に取り外し可能に係合する。しかしながら、蓋１２は、車輪１４が地面に係合しないように、反転させ、そのため、蓋１２は、地面に沿って転動することができない。その代わり、この使用形態では、蓋１２は、蓋１２を揺動することができる凸状湾曲プロファイル２２にし、開いた収納箱１０を揺動することができる。
【００２０】
図５は、収納箱１０及び取り外し可能な蓋１２を示す。蓋１２は、投入開口部を包囲する収納箱１０の端縁部分２６に取り外し可能に係合する。図５に示す本発明の実施形態は、閉止用のラッチ２８を有する。ラッチ２８を、端縁部分２６の近傍で収納箱１０の外部に取り付け、ラッチ２８は、蓋１２が端縁部分２６に係合しているとき、取り外し可能に蓋１２に係合するように、動かすことができる。図６は、図５のラッチ機構の細部を示す。ラッチ２８は、収納箱１０に対して回転することができるように、収納箱１０に取り付けるよう配置する。このようにして、ラッチを、蓋１２との係合から動かすことができ、それにより、蓋１２をはずすことができる。蓋１２を収納箱の端縁部分２６に固定するために、ラッチを、開いた位置から、図６に示すロックした位置に、収納箱１０に対して回転させる。
【００２１】
図７は、本発明による収納容器の他の実施形態を示し、この場合、収納箱１０には、サドル部１６を一体に組み込む追加形状部３０を設け、収納容器を乗り物形態として用いるときの乗り心地を改善する。
【００２２】
図８〜１０は、一連の収納容器列を形成して転動することができるようにした収納容器の特徴を示す。図８及び９に示すように、収納箱１０には、牽引用ループ３２及び牽引用フック３４を設ける。牽引用フックは、牽引用ループ３２に取り外し可能に係合し、図１０に示すように、隣接する収納箱を相互連結することを可能にする。牽引用ループ３２及び牽引用フック３４の実際の構成は、全体的な設計上の考察により決定する。一例として、蓋１２には、転動する形態の収納容器が、一連の収納容器列の一部になることを可能にする牽引用ループ３６（図１０）を設けることができる。
【００２３】
図１１は、車輪１４を、本発明の一実施形態である収納容器の蓋１２に装着する状況を示す。蓋１２には、蓋１２の製造の一部として成形するのが望ましい、車輪設置部４２を設ける。車輪１４は、それぞれの車軸ユニット４０により、蓋の車輪設置部の適所に保持される。車軸ユニット４０を図１２で詳細に示す。車軸ユニット４０は、本体部４６から突出し、蓋１２に装着するとき、車輪１４を担持する、車軸４４を備える。車軸ユニット４０は、さらに、車軸ユニット４０を蓋１２における対応する設置スロット（図示せず）に設置するために用いる設置タブ４８（図示の例では３つであるが、任意の数にすることができる）を設ける。車輪１４は蓋１２に装着するため、車輪１４を蓋１２の車輪設置部４２における所定位置に当てがい、次に車軸ユニット４０を蓋１２の設置スロットに係合している場合、設置タブ４８を有する車軸ユニット４０を蓋１２の所定位置に押し込み、これにより、車軸ユニット４０を蓋１２の車輪設置部４２の適所に保持する。上記のように、蓋１２、従って、収納容器１が地面に沿って転動することができるよう、車輪１４を車軸ユニット４０の車軸４４に回転自在に取り付ける。
【００２４】
図１３は、収納箱１０の入れ子式にする機能を示す。図１３に示すように、各収納箱１０は、ほぼ中空の収納容積部１８を画定し、また１つの収納箱１０を別の収納箱１０における容積１８の内側に入れ子に収納することができる形状にする。
【００２５】
図１４及び１５は、それぞれ、タワー状に配置した複数の収納容器を示し、収納容器は、第１形態で、順次に各容器頂部に積み重ねる。すなわち、収納容器は、それぞれの蓋が上部にきて、またタワーの下側になる収納容器の蓋は、上側に隣接する次の収納容器の収納箱を支持する。対照的に、図１５は、タワー状にした複数の収納容器の第２形態を示し、この場合、最下段となる収納容器の蓋の車輪を地面で支持し、収納箱はタワーにおける隣接する次の収納容器の蓋を支持する。
【００２６】
図１６及び１７は、本発明による収納容器の、付加的な特徴を組み込んだ実施形態を示す。図１６及び１７の実施形態では、収納箱１０には、収納箱１０のサドル領域１６に取り付けた第２の蓋５０を設ける。第２の蓋の閉めた形態を図１６に示し、開いた形態を図１７に示す。開いた形態の場合、サドル領域１６に画定した第２の収納容積部５６にアクセスすることができる。第２の蓋５０は、ヒンジ５２により、又は第２の蓋５０が開いた形態と閉めた形態との間で収納箱１０に対して回転できるようにする同等の特徴により、収納箱１０に取り付ける。第２の蓋５０には、手掛かり部５４を設けることが望ましく、手掛かり部５４は、開いた形態の第２の蓋５０が、収納容器を車輪１４で引っ張るためのハンドルとして機能できるようにする。
【００２７】
代案として、本発明による収納箱の実施形態は、第２の「蓋」５０を備えるが、第２の収納容積部５６を設けないようにすることができる。その場合、第２の蓋５０は、収納容器を車輪１４で引っ張る折り畳み式のハンドルとしてのみ機能する。この場合、第２の蓋５０は、より正確には、ハンドル部分５０として記載される。
【図１】
2013514242.tif 000003
【図２】
2013514242.tif 000004
【図３】
2013514242.tif 000005
【図４】
2013514242.tif 000006
【図５】
2013514242.tif 000007
【図６】
2013514242.tif 000008
【図７】
2013514242.tif 000009
【図８】
2013514242.tif 000010
【図９】
2013514242.tif 000011
【図１０】
2013514242.tif 000012
【図１１】
2013514242.tif 000013
【図１２】
2013514242.tif 000014
【図１３】
2013514242.tif 000015
【図１４】
2013514242.tif 000016
【図１５】
2013514242.tif 000017
【図１６】
2013514242.tif 000018
【図１７】
2013514242.tif 000019
【手続補正書】
【提出日】平成24年8月30日(2012.8.30)
【手続補正１】
【補正対象書類名】特許請求の範囲
【補正対象項目名】請求項３
【補正方法】変更
【補正の内容】
【請求項３】
請求項１または２に記載の収納容器において、前記収納箱の前記底部は、前記収納容器が前記第２使用形態であるとき、サドルをなす形状に形成した、収納容器。
【手続補正２】
【補正対象書類名】明細書
【補正対象項目名】０００６
【補正方法】変更
【補正の内容】
【０００６】
収納箱の底部は、収納容器が第２使用形態であるとき、サドルをなす形状に形成することができ、これにより、幼児が騎乗式乗り物のスタイルで座り、快適に動かすことができる。
【手続補正３】
【補正対象書類名】明細書
【補正対象項目名】０００７
【補正方法】変更
【補正の内容】
【０００７】
このような収納容器は、さらに、別の収納容器に連結するための連結装置を備えることができ、これにより、遊びの価値を高める収納容器の列を生成する。そのような連結装置は、収納箱に設けることができ、第２及び第３の使用形態で機能することができる。
【国際調査報告】
2013514242.tif 000020
2013514242.tif 000021